(57)【要約】【課題】手軽に香りを嗅ぐことのできる操作性及び利便性に優れた香りテスターを提供する。【解決手段】香りテスター１は、香りを発散する内容物として香り部材４の収容が可能なボトル本体２と、ボトル本体２に対して開口２Ａを覆うように結合するキャップ３と、を備えている。キャップ３は、弾性変形可能なドーム形状の押圧部３ａと、その押圧部３ａの弾性変形によりボトル本体２内で加圧された空気を放出させる放出口３ｂと、を有している。【選択図】図１
2020125118.tif 000002
【特許請求の範囲】
【請求項１】
香りを発散する内容物の収容が可能なボトル本体と、前記ボトル本体に対してその開口を覆うように結合するキャップと、を備えた香りテスターであって、
前記キャップが、弾性変形可能な押圧部と、前記ボトル本体内の空気を放出させる放出口と、を有することを特徴とする香りテスター。
【請求項２】
前記放出口が、前記押圧部の弾性変形により前記ボトル本体内で加圧された空気を放出させることを特徴とする請求項１記載の香りテスター。
【請求項３】
前記押圧部がドーム形状を有することを特徴とする請求項１又は２記載の香りテスター。
【請求項４】
前記キャップがゴムから成ることを特徴とする請求項１〜３のいずれか１項に記載の香りテスター。
【請求項５】
前記ボトル本体と前記キャップと間に両面テープを更に備え、その両面テープを介して前記ボトル本体と前記キャップとがネジ結合可能になっていることを特徴とする請求項１〜４のいずれか１項に記載の香りテスター。
【請求項６】
前記ボトル本体が硬質プラスチックから成り、前記キャップがシリコンゴムから成り、前記両面テープが、前記キャップ側の面にシリコン系粘着剤を有し、前記ボトル本体側の面にシリコン系粘着剤以外の粘着剤を有することを特徴とする請求項５記載の香りテスター。
【請求項７】
前記両面テープが前記ボトル本体側の面にアクリル系粘着剤を有することを特徴とする請求項６記載の香りテスター。
【請求項８】
前記ボトル本体と前記キャップとの間に前記両面テープで一端が固定された紐を更に備えたことを特徴とする請求項５〜７のいずれか１項に記載の香りテスター。
【請求項９】
前記キャップの下方に前記ボトル本体が位置し、前記キャップの頭部に前記押圧部が位置することを特徴とする請求項１〜８のいずれか１項に記載の香りテスター。
【請求項１０】
香料を含有する香り部材を前記内容物として更に備えたことを特徴とする請求項１〜９のいずれか１項に記載の香りテスター。
【発明の詳細な説明】
【技術分野】
【０００１】
本発明は香りテスターに関するものであり、例えば、香りに特長のある商品の販売促進用香りテスターに関するものである。
【背景技術】
【０００２】
洗剤，柔軟剤，芳香剤，香水，化粧品，シャンプー，リンス，防虫剤等の商品は、その香りが他社の商品との差別化を図る上で重要な要素となっている。しかし、商品の香りを確認しようとしても、消費者が店頭で商品を開封することはできない。そこで、商品の購入前にその香りを確認できるように、商品と同じ香りを放出する香りテスターを、商品と共に店頭に配置することが一般的に行われている。
【０００３】
従来より様々なタイプの香りテスターが提案されているが、そのなかでもボトルタイプの香りテスターには、長期間にわたる香りの放出が可能であること、香料の変更が容易であること、香料に対する直接の接触無しに使用可能であること等の特長がある。一般的なボトルタイプの香りテスターは、上部が開口したボトル本体と、その開口を開閉させる蓋と、で構成されており、その一例が特許文献１で提案されている。
【先行技術文献】
【特許文献】
【０００４】
【特許文献１】特開２００５−２１５７２号公報
【発明の概要】
【発明が解決しようとする課題】
【０００５】
特許文献１に記載の香りテスターでは、香料を含浸させた綿状体がボトル本体内に収容されている。ユーザーは蓋を開けて、ボトル本体から放出される香りを嗅ぐことにより商品の香りを確認して、購入する商品を選択することができる。しかし、蓋の開閉は手間のかかる作業であるため、購買意欲を損なうおそれがある。また、香料の揮発性が低い場合には、香りテスターを振って香りを放出させることが必要になるという不便さもある。
【０００６】
本発明はこのような状況に鑑みてなされたものであって、その目的は、手軽に香りを嗅ぐことのできる操作性及び利便性に優れた香りテスターを提供することにある。
【課題を解決するための手段】
【０００７】
上記目的を達成するために、第１の発明の香りテスターは、香りを発散する内容物の収容が可能なボトル本体と、前記ボトル本体に対してその開口を覆うように結合するキャップと、を備えた香りテスターであって、
前記キャップが、弾性変形可能な押圧部と、前記ボトル本体内の空気を放出させる放出口と、を有することを特徴とする。
【０００８】
第２の発明の香りテスターは、上記第１の発明において、前記放出口が、前記押圧部の弾性変形により前記ボトル本体内で加圧された空気を放出させることを特徴とする。
【０００９】
第３の発明の香りテスターは、上記第１又は第２の発明において、前記押圧部がドーム形状を有することを特徴とする。
【００１０】
第４の発明の香りテスターは、上記第１〜第３のいずれか１つの発明において、前記キャップがゴムから成ることを特徴とする。
【００１１】
第５の発明の香りテスターは、上記第１〜第４のいずれか１つの発明において、前記ボトル本体と前記キャップと間に両面テープを更に備え、その両面テープを介して前記ボトル本体と前記キャップとがネジ結合可能になっていることを特徴とする。
【００１２】
第６の発明の香りテスターは、上記第５の発明において、前記ボトル本体が硬質プラスチックから成り、前記キャップがシリコンゴムから成り、前記両面テープが、前記キャップ側の面にシリコン系粘着剤を有し、前記ボトル本体側の面にシリコン系粘着剤以外の粘着剤を有することを特徴とする。
【００１３】
第７の発明の香りテスターは、上記第６の発明において、前記両面テープが前記ボトル本体側の面にアクリル系粘着剤を有することを特徴とする。
【００１４】
第８の発明の香りテスターは、上記第５〜第７のいずれか１つの発明において、前記ボトル本体と前記キャップとの間に前記両面テープで一端が固定された紐を更に備えたことを特徴とする。
【００１５】
第９の発明の香りテスターは、上記第１〜第８のいずれか１つの発明において、前記キャップの下方に前記ボトル本体が位置し、前記キャップの頭部に前記押圧部が位置することを特徴とする。
【００１６】
第１０の発明の香りテスターは、上記第１〜第９のいずれか１つの発明において、香料を含有する香り部材を前記内容物として更に備えたことを特徴とする。
【発明の効果】
【００１７】
本発明によれば、キャップの押圧部が弾性変形可能な構成になっているため、押圧部を押すという簡単なプッシュ式の操作で、高品質の香りを含んだ空気をボトル本体から消費者の鼻孔へと送ることができる。このとき、蓋を開ける手間がかからず、香料の揮発性が低くても香りテスターを振ったりする必要がない。したがって、手軽に香りを嗅ぐことのできる操作性及び利便性に優れた香りテスターを実現することができる。そして、この香りテスターによって消費者の購買意欲を効果的に喚起することが可能となる。
【図面の簡単な説明】
【００１８】
【図１】香りテスターの一実施の形態を示す外観図。
【図２】図１の香りテスターのキャップを示す外観図。
【図３】図１のＤ部を示す拡大断面図。
【発明を実施するための形態】
【００１９】
以下、本発明の実施の形態に係るボトルタイプの香りテスター等を、図面を参照しつつ説明する。図１に香りテスター１の外観を示し、図２に香りテスター１の構成要素であるキャップ３の外観を示す。図１において、（Ａ）は香りテスター１の正面図であり、（Ｂ）は香りテスター１の側面図である。また、図２において、（Ａ）はキャップ３の正面図であり、（Ｂ）はキャップ３の側面図であり、（Ｃ）はキャップ３の上面図である。
【００２０】
香りテスター１は、図１に示すように、香りを発散する内容物として香り部材４の収容が可能なボトル本体２と、ボトル本体２に対してその開口２Ａを覆うように結合するキャップ３と、を備えている。ボトル本体２は、硬質プラスチック（例えば、ポリプロピレン，ポリエチレン等）から成る円筒状の透明瓶であり、香り部材４を収容する収容空間２Ｓと、収容空間２Ｓに香り部材４を入れるための開口２Ａと、を有している。キャップ３は、シリコンゴムから成る略円筒状のラバーキャップであり、弾性変形可能なドーム形状の押圧部３ａと、その押圧部３ａの弾性変形によりボトル本体２内で加圧された空気を放出させる放出口３ｂと、を有している。
【００２１】
収容空間２Ｓ内の香り部材４は、香料を含有することにより、商品（例えば、洗剤，柔軟剤，芳香剤，香水，化粧品，シャンプー，リンス，防虫剤等）と同じ香りを発散させるものであり、ここでは含浸等により香料を担体に担持させた粒状の香料担持体を想定している。担体としては、無機材料（例えば、シリカゲル，フローライト（特殊珪酸カルシウム），ゼオライト，ベントナイト等）や有機材料（例えば、活性炭，パルプ，セルロース等）を用いて、吸水性又は吸油性を有するように所定形状（例えば、粒状，粉状，繊維状，シート状，ブロック状等）に形成したもの（例えば、多孔質粒子，多孔質粉体，紙，不織布等）が挙げられる。また、上記の無機材料や有機材料に香料を混ぜ合わせたり練り込んだりして上記所定形状に成形したものを、香り部材４として用いてもよい。
【００２２】
香り部材４には、香料の代わりに、香料を含む芳香性組成物を所定の形態（例えば、液体状，ジェル状，固体状等）で用いてもよく、商品によってはそのままの形態で芳香性組成物又は香り部材４として用いてもよい。なお、香り部材４に含まれる香料等の材料との関係から、ボトル本体２の素材として硬質プラスチックの代わりにガラスを用いてもよい。
【００２３】
香りテスター１の組み立ては、ボトル本体２に対して開口２Ａ側からキャップ３を接続することによって行われる。ボトル本体２とキャップ３との接続部分には、それぞれネジ構造Ｎが設けられており、特殊な両面テープ５を介してボトル本体２とキャップ３とがネジ結合可能になっている（図１）。ボトル本体２のネジ構造Ｎを含む接続部分の表面に両面テープ５を巻いて貼り付けた後、ボトル本体２にキャップ３をネジ結合させて固定すると、ボトル本体２とキャップ３との接続が完了する。両面テープ５によってボトル本体２とキャップ３との結合が強固になるため、ボトル本体２からキャップ３が外れて香り部材４がこぼれるのを防ぐことができる。
【００２４】
香りテスター１は、例えば盗難防止，誤飲防止等のために、紐６を更に備えている（図１）。その紐６は、ボトル本体２とキャップ３との間に両面テープ５で一端が固定されている。紐６の他端は、店頭の商品棚，商品見本，商品広告物等に固定される。
【００２５】
図１のＤ部を拡大して、その断面構造を図３に示す。両面テープ５は、ポリエステルフィルム５ｂ（例えば、ＰＥＴ(polyethylene terephthalate)フィルム等）を基材フィルムとして、ボトル本体２側の面にアクリル系粘着剤５ａを有し、キャップ３側の面にシリコン系粘着剤５ｃを有する構成になっている。アクリル系粘着剤５ａはポリプロピレン(ＰＰ)，ポリエチレン(ＰＥ)等に接着力を有し、シリコン系粘着剤５ｃはシリコンゴムに接着力を有するので、ＰＰ，ＰＥ等の硬質プラスチックから成るボトル本体２との接着をアクリル系粘着剤５ａで行い、シリコンゴムから成るキャップ３との接着をシリコン系粘着剤５ｃで行うことによって、ボトル本体２とキャップ３との結合をより一層強固なものとしている。なお、ボトル本体２やキャップ３に上記以外の素材を用いた場合には、それらに応じた粘着剤を有する両面テープを使用するのが好ましい。
【００２６】
香りテスター１が初期状態にあるとき、図１に示すように、キャップ３の頭部に位置する押圧部３ａはドーム形状を成している。香りテスター１を使用する場合、人差し指等でキャップ３の押圧部３ａをボトル本体２側へ押し下げる。キャップ３はシリコンゴムで一体的に形成されているため、押圧部３ａは弾性変形可能となっている。押圧部３ａが押されて弾性変形すると、収容空間２Ｓ内の空気が加圧されて放出口３ｂから押し出される。香りテスター１から放出された空気には、香り部材４に含有されている香料から揮発した香り成分が含まれているため、容易かつ速やかに高品質の香りを体感することが可能となる。例えば、香り部材４に鼻を近づけてその香りを嗅いだ場合と比較すると、香り成分を含んだ空気を鼻の方向に放出した方が、感じる香りが強くなり、香りを感じるまでの時間が短くなる。
【００２７】
香り成分を含んだ空気の放出方向は放出口３ｂの向きによって決まるため、放出口３ｂでの放出方向の制限により、香り成分の無駄な拡散が防止される。しかも、キャップ３の上部において、放出口３ｂが押圧部３ａに隣り合って位置するとともにキャップ３の横方向に突出しているため、放出口３ｂを見てその位置を確認することができるとともに、放出口３ｂに触れた手の感触からもその位置を確認することができる。したがって、香り成分を含んだ空気の放出方向を間違えてしまうことも防止される。
【００２８】
押圧部３ａから人差し指等を離して押圧部３ａに対する押圧を止めると、弾性変形していた押圧部３ａが元のドーム形状に復帰する。その形状復帰により、香りテスター１外の空気が放出口３ｂから収容空間２Ｓ内へと流入して、香りテスター１は初期状態に戻る。なお、コスト，耐久性等との関係から、キャップ３の素材としてシリコンゴム以外のゴム又はその他の弾性材料を用いてもよい。
【００２９】
香りテスター１は、キャップ３の下方にボトル本体２が位置し、キャップ３の頭部に押圧部３ａが位置する構成になっているため、持ち易いうえに軽く、片手でのプッシュ操作を容易に行えるという優れた操作性を有している。例えば、香りテスター１を手に取ったときの自然な動作の流れとして、人差し指が押圧部３ａにかかるようにボトル本体２を握ることが可能である。
【００３０】
ボトル本体２の周面とキャップ３の周面は、凹凸が少ないうえに香りテスター１の表面の大部分を占めているため、商品情報表示のための表示スペース（例えば、販売促進用の宣伝・広告スペース，注意書きスペース等）として好適である。また、キャップ３の上面において、押圧部３ａのドーム状の曲面の周囲に形成されているリング状の平面は（図２（Ｃ））、プッシュ操作の際に視界に入るため、プッシュ操作の注意書きスペースとして好適である。
【００３１】
キャップ３の構成において、押圧部３ａの形状がシンプルなドーム形状であること、押圧部３ａのゴムの弾性をプッシュ操作に利用していること、押圧部３ａと放出口３ｂとが同一素材で一体的に形成されていること（金型の単一化）等が、プッシュ式のボトルタイプにしては効果的な低コスト化を可能としている。また、キャップ３は香り部材４に直接触れないため、種類の異なる香り部材４の入ったボトル本体２にキャップ３を付け替えて兼用することも容易に可能である。
【００３２】
香りテスター１によれば、前述したように、キャップ３の押圧部３ａが弾性変形可能な構成になっているため、押圧部３ａを押すという簡単なプッシュ式の操作で、高品質の香りを含んだ空気をボトル本体２から消費者の鼻孔へと送ることができる。このとき、蓋を開ける手間がかからず、香料の揮発性が低くても香りテスター１を振ったりする必要がない。したがって、香りテスター１の優れた操作性及び利便性によって、手軽に香りを嗅ぐことができ、消費者の購買意欲を効果的に喚起することが可能となる。
【符号の説明】
【００３３】
１    香りテスター
２    ボトル本体
２Ｓ    収容空間
２Ａ    開口
３    キャップ
３ａ    押圧部
３ｂ    放出口
４    香り部材（内容物）
５    両面テープ
５ａ    アクリル系粘着剤
５ｂ    ポリエステルフィルム
５ｃ    シリコン系粘着剤
６    紐
Ｎ    ネジ構造
【図１】
2020125118.tif 000003
【図２】
2020125118.tif 000004
【図３】
2020125118.tif 000005